(57)【要約】【課題】イオン発生素子を取り外すことなく、イオン発生電極の状態を確認し、イオン発生電極を清掃することができるイオン発生装置、特に壁等に設置された送風機の吹出口に隣り合うように設置されるイオン発生装置の場合に、無理な姿勢を取らずにイオン発生電極の状態の確認及び清掃が容易となるイオン発生装置を提供する。【解決手段】外部からの空気の流入が可能な流入口４及び外部への空気の流出が可能な流出口５１，５２を備えたケーシング３内にイオンを放出するイオン発生器２を設け、ケーシング３は、イオン発生器２を収容するケーシング部分３１と、ケーシング部分３１に枢支され、イオン発生器２を覆う閉状態及びイオン発生器２を開放する開状態に回動自在に装着されるカバー部３２とを有し、カバー部３２は内面に光反射体１０を備えている。【選択図】図１１
2012104233.tif 000002
【特許請求の範囲】
【請求項１】
外部からの空気の流入が可能な流入口及び外部への空気の流出が可能な流出口を有するケーシングと、該ケーシング内にイオンを放出するイオン発生器とを設けたイオン発生装置において、
前記ケーシングは、前記イオン発生器を収容するケーシング部分と、該ケーシング部分に枢支され、前記イオン発生器を覆う閉状態及び前記イオン発生器を開放する開状態に回動自在に装着されるカバー部とを有し、
前記カバー部は内面に光反射体を備えていることを特徴とするイオン発生装置。
【請求項２】
前記光反射体を前記カバー部に姿勢変更可能に取り付ける取付手段が設けてあることを特徴とする請求項１に記載のイオン発生装置。
【請求項３】
前記取付手段は、前記光反射体を一定姿勢に保持するように付勢していることを特徴とする請求項２に記載のイオン発生装置。
【請求項４】
前記カバー部は前記流入口及び流出口を有し、前記ケーシング部分は内面に発光体を備えており、
前記カバー部が前記閉状態の場合に、前記取付手段の付勢力に抗して、前記光反射体が前記発光体からの光を前記流入口又は流出口に反射するように前記光反射体の姿勢を保持する姿勢保持手段を備えていることを特徴とする請求項３に記載のイオン発生装置。
【請求項５】
前記カバー部は前記流入口及び流出口を有し、前記ケーシング部分は内面に発光体を備えており、
前記ケーシング部分又は前記カバー部の内面に、第２光反射体を設けてあり、
前記カバー部が前記閉状態の場合に、前記取付手段の付勢力に抗して前記光反射体が前記発光体からの光を前記第２光反射体に反射するように前記光反射体の姿勢を保持する第２姿勢保持手段と、前記第２光反射体が前記光反射体で反射された光を前記流入口又は流出口に反射するように前記第２光反射体を前記ケーシング部分又は前記カバー部に取り付ける第２取付手段とを備えていることを特徴とする請求項３に記載のイオン発生装置。
【請求項６】
前記光反射体はハーフミラーであり、前記発光体からの光を透過させて前記流入口又は流出口から外部に放出することを特徴とする請求項４又は請求項５に記載のイオン発生装置。
【発明の詳細な説明】
【技術分野】
【０００１】
本発明は、イオン発生装置に関し、特に壁等に設置された送風機の吹出口に隣り合うように設置されるイオン発生装置に関する。
【背景技術】
【０００２】
近年、イオンによって居住空間内の空気を清浄化する空気清浄機が実用化されている。空気清浄機では、送風機が外部から吸い込んだ空気が流れる送風路内にプラスイオン及びマイナスイオンを発生させるイオン発生器が配設され、発生したイオンを吹出口から吹き出される空気と共に外部へ放出させている。放出されたイオンは、室内等の居住空間において空気中の浮遊細菌等を不活性化させ、死滅させると共に臭気成分を変性させる。その結果、居住空間内の空気が清浄化される。
【０００３】
特許文献１には、室内機にプラズマ発生器（イオン発生器）を備えた天井埋込型空気調和機が開示されている。プラズマ発生器からは、イオン、オゾン、ヒドロキシラジカルなどが生成され、臭気成分、菌、ウイルスを分解し、無害化する。
【０００４】
イオン発生器のイオン発生部には、特に針形状の金属などを放電電極とし、これに対向して金属板やグリッドなどの電極を配置したもの（例えば特許文献２参照）、あるいは大地を対向電極として特に金属板等の電極を配置しないものがある。これらのイオン発生部では、電極間に高電圧を印加した際に、鋭角をなす放電電極の先端で電界集中が生じ、放電電極の先端付近の空気が絶縁破壊することで放電現象が起こり、イオンが発生する。
【０００５】
放電現象を利用したイオン発生装置は通常、イオンを発生させるイオン発生器と、イオン発生器に高電圧を供給する高圧トランスと、高圧トランスを駆動する高圧トランス駆動回路と、コネクタなどの電源入力部などを備えている。例えば特許文献３には、高圧トランスと高圧トランス駆動回路とをケース内に搭載したイオン発生装置が記載されている。
【先行技術文献】
【特許文献】
【０００６】
【特許文献１】特開２００６−２９６６５号公報
【特許文献２】特開２００５−１３６４９号公報
【特許文献３】特開２００２−３７４６７０号公報
【発明の概要】
【発明が解決しようとする課題】
【０００７】
従来のイオン発生装置を長期間使用していると、空気中に含まれる埃やその他の汚れ物質がイオン発生部のイオン発生電極に付着し、やがて放電面が汚れ物質で覆われてしまう。このような状態になると、イオンを発生するための放電が妨げられ、イオン発生効率が低下するので、イオン発生電極の放電面をブラシ等の清掃部材で清掃し、付着した汚れ物質を取り除く必要がある。しかしながら、従来のイオン発生装置では、イオン発生電極を清掃するためには、イオン発生器を取り外す必要があった。
【０００８】
本発明は、上述した事情に鑑みてなされたものであり、イオン発生器を取り外すことなく、イオン発生電極の状態を確認し、イオン発生電極を清掃することができるイオン発生装置を提供することを目的とする。特に壁等に設置された送風機の吹出口に隣り合うように設置されるイオン発生装置の場合に、無理な姿勢を取らずにイオン発生電極の状態の確認及び清掃が容易となるイオン発生装置を提供することを目的とする。
【課題を解決するための手段】
【０００９】
本発明に係るイオン発生装置は、外部からの空気の流入が可能な流入口及び外部への空気の流出が可能な流出口を有するケーシングと、該ケーシング内にイオンを放出するイオン発生器とを設けたイオン発生装置において、前記ケーシングは、前記イオン発生器を収容するケーシング部分と、該ケーシング部分に枢支され、前記イオン発生器を覆う閉状態及び前記イオン発生器を開放する開状態に回動自在に装着されるカバー部とを有し、前記カバー部は内面に光反射体を備えていることを特徴とする。
【００１０】
本発明においては、イオン発生装置の運転時は、ケーシングの一部を構成するケーシング部分に枢支されたカバー部が該ケーシング部分に収容されたイオン発生器を覆う閉状態とされ、外部の空気が流入口からケーシング内に流入し、ケーシング内を流れるときに前記イオン発生器が放出するイオンが付加され、イオンを含む空気が流出口からケーシング外へ流出する。イオン発生器はケーシング内を流れる空気中の埃等によって汚れると、イオン発生効率が低下するので、イオン発生装置の運転停止時にカバー部をイオン発生器が開放される開状態とし、カバー部の内面に備えた光反射体によって、イオン発生器の鏡像を視て汚れ具合等を確認することができる。
【００１１】
本発明に係るイオン発生装置は、前記光反射体を前記カバー部に姿勢変更可能に取り付ける取付手段が設けてあることを特徴とする。
本発明においては、取付手段を操作してカバー部に対する光反射体の姿勢を変更し、イオン発生器の鏡像を見易い位置に調整することができる。
【００１２】
本発明に係るイオン発生装置は、前記取付手段は、前記光反射体を一定姿勢に保持するように付勢していることを特徴とする。
本発明においては、カバー部を開けた状態で光反射体が取付手段によって一定姿勢に保持されるので、イオン発生器の鏡像を安定した状態で視ることができる。
【００１３】
本発明に係るイオン発生装置は、前記カバー部は前記流入口及び流出口を有し、前記ケーシング部分は内面に発光体を備えており、前記カバー部が前記閉状態の場合に、前記取付手段の付勢力に抗して、前記光反射体が前記発光体からの光を前記流入口又は流出口に反射するように前記光反射体の姿勢を保持する姿勢保持手段を備えていることを特徴とする。
【００１４】
本発明においては、カバー部を閉じた状態でケーシング部分の内面に備えた発光体からの光が光反射体によって前記流入口又は流出口に反射されるように光反射体の姿勢が姿勢保持手段によって保持され、発光体の光を流入口又は流出口を通して外部から確認することができる。
【００１５】
本発明に係るイオン発生装置は、前記カバー部は前記流入口及び流出口を有し、前記ケーシング部分は内面に発光体を備えており、前記ケーシング部分又は前記カバー部の内面に、第２光反射体を設けてあり、前記カバー部が前記閉状態の場合に、前記取付手段の付勢力に抗して前記光反射体が前記発光体からの光を前記第２光反射体に反射するように前記光反射体の姿勢を保持する第２姿勢保持手段と、前記第２光反射体が前記光反射体で反射された光を前記流入口又は流出口に反射するように前記第２光反射体を前記ケーシング部分又は前記カバー部に取り付ける第２取付手段とを備えていることを特徴とする。
【００１６】
本発明においては、カバー部を閉じた状態で前記ケーシング部分の内面に備えた発光体からの光が光反射体によって前記ケーシング部分又は前記カバー部の内面に設けた第２光反射体に反射されるように光反射体の姿勢が第２姿勢保持手段によって保持され、第２光反射体に入射して反射された光が流入口又は流出口に反射されるように第２光反射体が第２取付手段によってケーシング部分又はカバー部に取り付けられ、発光体の光を流入口又は流出口を通して外部から確認することができる。
【００１７】
本発明に係るイオン発生装置は、前記光反射体はハーフミラーであり、前記発光体からの光を透過させて前記流入口又は流出口から外部に放出することを特徴とする。
本発明においては、発光体からの光がハーフミラーである光反射体を透過し、流入口又は流出口から外部に放出され、発光体の光を流入口又は流出口を通して外部から確認することができる。
【発明の効果】
【００１８】
本発明によれば、ケーシング部分に枢支されたカバー部を開けた状態でカバー部の内面に備えた光反射体によって、ケーシング部分に収容されたイオン発生器の鏡像を視ることができるので、イオン発生器を取り外すことなく、イオン発生電極の状態を確認することができ、イオン発生電極が汚れている場合はイオン発生器の鏡像を視ながらイオン発生電極を清掃することができるイオン発生装置が提供される。特に壁等に設置された送風機の吹出口に隣り合うように設置されるイオン発生装置の場合に、無理な姿勢を取らずにイオン発生電極の状態の確認及び清掃が容易となる。
【００１９】
また、本発明によれば、カバー部の内面等に設けた光反射体により、ケーシング内に設けた発光体（例えば、各種の運転状態を示す運転表示ランプ等）からの光をケーシングの流入口又は流出口を通して外部から容易に確認することができるイオン発生装置が提供される。
【図面の簡単な説明】
【００２０】
【図１】本発明の実施の形態１に係るイオン発生装置の斜視図である。
【図２】図１に示すイオン発生装置の側面図である。
【図３】図１に示すイオン発生装置の下面図である。
【図４】図１に示すイオン発生装置のカバー部を取り外した状態の下面図である。
【図５】イオン発生器の一例を模式的に示す平面図である。
【図６】図１のイオン発生装置のカバー部を開いた状態の側面図である。
【図７】図３のＶＩＩ−ＶＩＩ線における側面断面図である。
【図８】図３のＶＩＩＩ−ＶＩＩＩ線における側面断面図である。
【図９】図１のイオン発生装置の設置状態及び動作を示す天井部分の平面図である。
【図１０】図１のイオン発生装置の設置構造及び動作を示す天井部分の側面断面図である。
【図１１】カバー部を開いた状態の側面断面図である。
【図１２】カバー部を開いた状態で反射板の角度を調整する場合を示す側面断面図である。
【図１３】カバー部を閉じた状態での光の進路を示す側面断面図である。
【図１４】本発明の実施の形態２に係るイオン発生装置を示す側面断面図である。
【発明を実施するための形態】
【００２１】
以下、本発明に係るイオン発生装置の実施の形態について図面に基づいて説明する。
（実施の形態１）
図１は本発明の実施の形態１に係るイオン発生装置の斜視図、図２は図１に示すイオン発生装置の側面図、図３は図１に示すイオン発生装置の下面図、図４は図１に示すイオン発生装置のカバー部を取り外した状態の下面図、図５はイオン発生器の一例を模式的に示す平面図、図６は図１のイオン発生装置のカバー部を開いた状態の側面図、図７は図３のＶＩＩ−ＶＩＩ線における側面断面図、図８は図３のＶＩＩＩ−ＶＩＩＩ線における側面断面図である。尚、図７及び図８は図１のイオン発生装置の構造及び動作を示す。
【００２２】
本実施形態に係るイオン発生装置１は、略直方体形状で一方向に長い形状のベース部３１と、ベース部３１に装着されるカバー部３２とを有するケーシング３を備えている。尚、本発明のイオン発生装置１は、後述のように、カバー部３２が下側になる状態でベース部３１の上面３１ａを天井等の取付対象物に取り付ける。
【００２３】
ベース部３１は下側に開口した凹部３１ｂを有し、該凹部３１ｂに略直方体形状の２個のイオン発生器２を収容して夫々固定するための固定部材３３が長手方向に離間した２箇所に設けてある。カバー部３２はベース部３１の凹部３１ｂを下側から覆っている。各固定部材３３は、変形しない鉤状の第１の係止部３３１と、先端に鉤部を有する変形可能な第２の係止部３３２とを備えている。イオン発生器２は第１の係止部３３１と第２の係止部３３２とにより側面及び下側縁部が係止されている。
【００２４】
イオン発生器２は、４つのイオン発生部２１，２２を備えている。各イオン発生部２１，２２は針状を成す放電電極２１ａ，２２ａと、放電電極２１ａ，２２ａを囲繞する誘導電極環２１ｂ，２２ｂとを有し、放電電極２１ａ，２２ａはそれぞれ誘導電極環２１ｂ，２２ｂの中心部に配される。イオン発生部２１，２２に電圧を供給する給電部（不図示）が設けられ、給電部から各イオン発生部２１，２２に電圧を供給することによってイオン発生部２１，２２がイオンを発生する。
【００２５】
以下に説明するように、一方のイオン発生部２１がプラスイオンを発生し、他方のイオン発生部２２がマイナスイオンを発生するように構成されている。
一方のイオン発生部２１には放電電極２１ａが正となる電圧が印加され、放電によるプラズマ領域で空気中の水分子が電気的に分解して主として水素イオンＨ+ が生成される。そして、生成された水素イオンＨ+ の周りに空気中の水分子が凝集し、正のクラスターイオンＨ+ （Ｈ2Ｏ）ｍ（ｍは任意の整数）（以下、「プラスイオン」とする）が形成される。他方のイオン発生部２２には放電電極２２ａが負となる電圧が印加され、放電によるプラズマ領域で空気中の酸素分子が電気的に分解して主として酸素イオンＯ2-が生成される。そして、生成された酸素イオンＯ2-の周りに空気中の水分子が凝集し、負のクラスターイオンＯ2-（Ｈ2Ｏ）ｎ（ｎは任意の整数）（以下、「マイナスイオン」とする）が形成される。
【００２６】
本実施形態では、プラスイオンを発生させるイオン発生部２１及びマイナスイオンを発生させるイオン発生部２２を備えたイオン発生器２を用いたが、他に、マイナスイオンのみを発生させるイオン発生器や、その他のイオンを発生させるイオン発生器を用いてもよい。また、イオン発生器２のイオン発生部２１，２２から発生するイオンの極性を所定時間毎に切り換えてもよい。
【００２７】
カバー部３２は、側面視で略逆三角形の形状を有し、ベース部３１の長手方向に沿って伸びた形状を有している。カバー部３２は、該逆三角形の２辺に対応する第１の傾斜面３４及び第２の傾斜面３５と、第１の傾斜面３４及び第２の傾斜面３５の両端部に位置する側面３６とを形成する板材で構成されている。
【００２８】
第１の傾斜面３４には、スリット状の開口部Ｓがカバー部３２の長手方向に複数個形成（並設）されている。スリット状の開口部Ｓは並設方向での幅が並設方向で隣り合う端部間の離隔距離よりも広い。スリット状の開口部Ｓの一方側（ベース部３１の上面３１ａとの距離が短い側）が流入口４となり、スリット状の開口部Ｓの他方側（ベース部３１の上面３１ａとの距離が長い側）が第１の流出口５１となる。即ち、流入口４と第１の流出口５１とが一つの連なったスリット状の開口部Ｓを形成している。
【００２９】
また、第１の傾斜面３４の端部とベース部３１の上面３１ａとを繋ぐ第２の傾斜面３５にはスリット状の第２の流出口５２が備えられる。尚、第２の流出口５２の形状はスリット状に限らず、例えば１つ又は複数の矩形状の開口部等の形状をしていてもよい。
【００３０】
ベース部３１の下面とカバー部３２の内壁面とにより、流入口４と第１の流出口５１及び第２の流出口５２とを結ぶ通風路７が形成される。第１の傾斜面３４と第２の傾斜面３５とが繋がる逆三角形の頂点部には、カバー部３２の内側から通風路７内へ略鉛直上方に伸び、流入口４から流入した空気流を第１の流出口５１に導く遮風板６が備えられる。遮風板６はカバー部３２の長手方向に沿って伸びた形状を有している。なお、遮風板６は鉛直上方に伸びるものに限るものではなく、第１の流出口５１に風を導く形であれば他の形をしていてもよい。
【００３１】
カバー部３２の両側面３６の上部には、孔が開いた耳部３６ａが延設されている。一方、ベース部３１の長手方向両端面には支点軸３１１が備えられている。カバー部３２の耳部３６ａの孔はベース部３１の支点軸３１１に嵌り、カバー部３２は支点軸３１１を中心として、ベース部３１に対して回動することができる。図６にカバー部３２をベース部３１に対して下側に９０°開いた状態を示す。尚、図示は省略するが、カバー部３２の側面３６と耳部３６ａとの間に、カバー部３２を図６に示す角度位置に保持する仮止機構が設けてある。
【００３２】
ベース部３１の支点軸３１１とは反対側の端部にはマグネット３１２が備えられており、カバー部３２にはベース部３１のマグネット３１２に対応した位置にマグネット３２１が備えられている。カバー部３２が閉じた状態のときは、カバー部３２のマグネット３２１と、ベース部３１のマグネット３１２とが引き合うことで、カバー部３２が閉じた状態を維持できる。このようにカバー部３２を回動可能とすることで、図６に示す状態でイオン発生器２を容易に交換することができる。
【００３３】
なお、マグネットはイオン発生装置１の長手方向において、イオン発生器２のイオン発生部２１、２２と重ならない位置に備えられている。なるべく、イオンがマグネットに吸収され、イオン濃度が低下するのを防止するためである。
【００３４】
次に、本実施形態に係るイオン発生装置１の設置形態について説明する。図９は図１のイオン発生装置の設置状態及び動作を示す天井部分の平面図、図１０は図１のイオン発生装置の設置構造及び動作を示す天井部分の側面断面図である。
【００３５】
本実施形態に係るイオン発生装置１は天井埋込型空気調和機９の吹出口９１近傍の天井８に設置されている。天井埋込型空気調和機９は空気を４方向に吹き出す４個の吹出口９１を備えている。イオン発生装置１は、天井埋込型空気調和機９の吹出口９１に近い側に第１の傾斜面３４が位置するようにそれぞれの吹出口９１に対して設置してある。尚、天井８には既に照明等が設置されていることもあり、必ずしも全ての吹出口９１に対してイオン発生装置１を設置できるわけではないため、一部の吹出口９１に対してのみ取り付けてもよい。
【００３６】
イオン発生装置１は天井埋込型空気調和機９が設置された天井８の近傍に、ベース部３１の上側の上面３１ａを天井８の壁に対向させた状態で取り付けて固定されている。固定には固定ボルト８１が使用されている。固定ボルト８１は、ベース部３１側からベース部３１に空けられた孔と、天井８に空けられた孔とを貫通し、天井８の裏面側からナット８２で固定されている。
【００３７】
天井埋込型空気調和機９は、吸込口９５と、送風機９４と、熱交換器９３と、吹出口９１とを備える。天井埋込型空気調和機９の運転時は、送風機９４によって吸込口９５から室内の空気を吸い込み、熱交換機９３を通して、吹出口９１から調和空気を吹き出す。吹出口９１には風向変更板９２が設置されている。
【００３８】
天井埋込型空気調和機９によって調和空気は、イオン発生装置１の第１の傾斜面３４に向かって吹き出される。吹き出される調和空気は、矢印に示す通り、第１の傾斜面３４に沿って流れ、流入口４がある部分では図７の矢印に示す通り、流入口４からイオン発生装置１の内部の通風路７に調和空気が流入する。
【００３９】
ここで、イオン発生器２によって発生させられたイオンはイオン風により、イオン発生器２のイオン発生部２１，２２から下向きに放出される。流入口４から流入した調和空気は、通風路７を流れるときにイオン発生器２が発生させたイオンが付加されて、第１の吹出口５１及び第２の吹出口５２からイオン発生装置１の外部へと放出される。
【００４０】
イオンを含んだ調和空気の一部は、遮風板６に当たり、第１の流出口５１へと導かれ、第１の流出口５１から流出する。第１の流出口５１から流出したイオンを含んだ調和空気は、第１の傾斜面３４に沿って流れる調和空気と合流し、室内に吹き出される。また、イオンを含んだ調和空気の残りは、第２の流出口５２から流出する。第１の流出口５１から流出したイオンを含んだ調和空気及び第２の流出口５２から流出したイオンを含んだ調和空気により、イオンを効率よく室内に拡散することができる。
【００４１】
このように、第１の傾斜面３４に流入口４を設けることによって、第１の傾斜面３４に沿うように天井埋込型空気調和機９の吹出口９１から吹き出された調和空気が、第１の傾斜面３４に沿って流れる空気と、イオン発生装置１の流入口４からイオン発生装置１内に入る空気とに分けることができる。
【００４２】
そして、天井埋込型空気調和機９の吹出口９１から吹き出された調和空気の流れ方向で流入口４よりも下流側位置の第１の傾斜面３４に、第１の流出口５１を設けることによって、イオン発生装置１の内部に流入し、イオンが付加された空気の一部は、第１の流出口５１から流出し、再び第１の傾斜面３４に沿って流れる空気と合流することができる。
【００４３】
本実施形態では、流入口４と第１の流出口５１とが連なったスリット状の開口部Ｓを形成しているので、第１の傾斜面３４に沿って流れる調和空気の流量、流速、方向等に対応して、流入口４となる開口部Ｓの部分と第１の流出口５１となる開口部Ｓの部分との割合を変化させることができる。流入口４となる開口部Ｓの部分割合が大きくなると、イオン発生装置１内に入る空気の量が増加するため、イオン発生装置１内でイオンが付加され、第１の流出口５１及び第２の流出口５２から外部により多くのイオンを含む空気を流出させることができる。
【００４４】
尚、図示はしないが、流入口４及び第１の流出口５１は連通しない単独のスリット状の開口部でもよい。この場合は、流入口４の面積を調整することで、イオン発生装置１内に入る空気の量を調整することができる。流入口４の面積を大きくするとイオン発生装置１の中に入る空気の量が増えるため、イオン発生装置１内でより多くのイオンを発生させることができる。
【００４５】
第１の流出口５１から流出する調和空気の量と、第２の流出口５２から流出する調和空気の量の割合は、遮風板６の長さを調整することで変更することができる。遮風板６を長くすれば、第１の流出口５１から流出する調和空気の風量の割合が増え、遮風板６を短くすれば、第１の流出口５１から流出する調和空気の風量の割合が減る。
【００４６】
このように、遮風板６を設けることで、第１の流出口５１から吹き出されるイオンを含んだ空気を、第１の傾斜面３４に沿って流れる空気に合流させ、室内に拡散することで、遮風板６を設置しないイオン発生装置と比べて効率よく室内にイオンを拡散することができる。
【００４７】
なお、第２の流出口５２を備えていないイオン発生装置１では、流入口４から流入した空気の抜け（外部への流出）が悪くなるため、イオン発生装置１内に入る調和空気が減る。したがって、イオン発生装置１内で発生したイオンを効率よく室内に拡散することができない。
【００４８】
次に、カバー部３２は内面に反射板１０を備えている。反射板１０は円盤形状をしたハーフミラーである。図１１はカバー部３２を開いた状態の側面断面図である。図１１にはカバー部３２をベース部３１に対して下側に約６０°開いた状態を示すが、カバー部３２の開き角度は６０°に限らない。例えば４５°程度でもよい。カバー部３２は図１１に示す角度位置に仮止機構（不図示）によって保持される。反射板１０の形状は円盤形状に限らず、平面形状が長方形又は正方形等であってもよい。
【００４９】
反射板１０は、ミラーホルダー１０ａに保持されて第１の傾斜面３４の流入口４側の内面に設けられている。ミラーホルダー１０ａは、両耳部３６ａを結ぶ方向と平行な方向における両端部が軸受部１０ｂに回動可能に支持されている。さらにミラーホルダー１０ａと軸受部１０ｂとの間にはキックバネ（不図示）が架けられ、外力が加わっていない状態（フリー状態）ではキックバネの付勢力によって図１１に示す角度（姿勢）に保持される。従って、ミラーホルダー１０ａ、軸受部１０ｂ及びキックバネによって、反射板１０をカバー部３２に姿勢変更自在に取り付け、また、一定姿勢に保持するように付勢する取付手段が構成される。
【００５０】
イオン発生器２のイオン発生部２１，２２の汚れ具合を確認するときは、カバー部３２を開き、反射板１０を覗き込み、反射板１０に映ったイオン発生部２１，２２の鏡像を視て確認することができる。この結果、イオン発生部２１，２２の放電電極２１ａ，２２ａに埃等が付着している場合は、ブラシを使用して放電電極２１ａ，２２ａを清掃する。このとき、反射板１０に映ったイオン発生部２１，２２の鏡像を確認しながら、適切に清掃することができる。
【００５１】
特に、天井埋込型空気調和機９の吹出口９１近傍の天井８に設置したイオン発生装置の場合、カバー部３２を開いてイオン発生部２１，２２の放電電極２１ａ，２２ａを直接見るためには、天井を見上げた無理な体勢を取る必要があるが、本発明によれば、開き状態で下側に位置したカバー部３２の内面に設けた反射体１０に映ったイオン発生部２１，２２の鏡像を視て確認するので、無理な体勢を取らず、また、イオン発生器２を取り外すこともなく、汚れ具合を容易に確認できる。
【００５２】
使用者の背の高さ等によって目線の位置が変化し、イオン発生部２１，２２の鏡像を見にくい場合は反射板１０の角度を調整する。図１２はカバー部３２を開いた状態で反射板の角度を調整する場合を示す側面断面図である。反射板１０はミラーホルダー１０ａと共に回動可能であるので、ミラーホルダー１０ａを図示しない指等で押して反射板１０を回動させ、イオン発生部２１，２２の鏡像を見易い位置に移動させることができる。
【００５３】
次に、運転状態を表示する表示ランプについて説明する。ベース部３１の凹部３１ｂに、発光方向を下向きにした運転表示ランプ１２が設けてある。運転表示ランプ１２はイオン発生装置１の運転時に点灯し、運転停止時に消灯する。また、運転表示ランプ１２からベース部３１の長手方向に離隔した箇所に、下向きの突起１３を設けている。
【００５４】
ベース部３１の凹部３１ｂには、運転表示ランプ１２を設けた側とは反対側に第２反射板１１を設けている。第２反射板１１は、ミラーホルダー１１ａに保持され、ミラーホルダー１１ａがベース部３１に固定されている。尚、第２反射板１１をベース部３１の凹部３１ｂではなく、カバー部３１に設けるようにしてもよい。
【００５５】
図１３はカバー部を閉じた状態での光の進路を示す側面断面図である。カバー部３２を閉じると、反射板１０のミラーホルダー１０ａはベース部３１の突起１３に押されて回動した位置に保持される。この状態で、運転表示ランプ１２が発した光の一部は反射板１０を透過し、流入口４から外部へ放出される。また、運転表示ランプ１２が発した光の一部は反射板１０で第２反射板１１に向けて反射され、さらに第２反射板１１で反射され、第２の流出口５２から外部へ放出される。これにより、外部から運転表示ランプ１２の点灯の有無により運転状態を確認することができる。
【００５６】
カバー部３２を閉じた状態で第２の流出口５２と運転表示ランプ１２とを結ぶ方向には遮風板６が位置しているため、第２の流出口５２から運転表示ランプ１２を直接視ることはできないが、２つの反射板１０，１１によって反射させて第２の流出口５２から確認できるようにしている。また、ハーフミラーである反射板１０によって流入口４から確認できるようにしている。尚、図示は省略するが、第２反射板１１が反射板１０からの反射光を第１の流出口５１又は流入口４に反射するようにしてもよい。
【００５７】
（実施の形態２）
図１４は本発明の実施の形態２に係るイオン発生装置を示す側面断面図である。実施の形態２では、第２反射板１１を設けず、突起１３より上下長さが長い突起１３Ａを設けている点が実施の形態１と異なる、実施の形態２では、カバー部３２を閉じると、反射板１０のミラーホルダー１０ａはベース部３１の突起１３Ａに押されて回動した位置に保持される。この状態で、運転表示ランプ１２が発した光の一部は反射板１０を透過し、流入口４から外部へ放出され、運転表示ランプ１２が発した光の一部は反射板１０により第１の流出口５１から外部へ放出される。これにより、反射板の構成が簡素化される。尚、図示は省略するが、反射板１０が運転表示ランプ１２からの光を第２の流出口５２に反射するようにしてもよい。
【００５８】
上記の実施の形態１−２により、天井埋込型空気調和機９の吹出口９１近傍の天井８に設置されたイオン発生装置１において、使用者がイオン発生器２の放電電極２１ａ，２２ａを確認する場合は、天井埋込型空気調和機９の真下付近の位置から確認するが、このときに、ハーフミラーである反射板１０を通過し流入口４から外部に放出される運転表示ランプ１２の光の有無により運転状態か運転停止状態かを確認することができる。また、天井埋込型空気調和機９の真下付近以外の位置に使用者が居る場合は、反射板１０又は第２反射板１１で反射され、第１の流出口５１、第２の流出口５２又は流入口４から外部に放出される運転表示ランプ１２の光の有無により運転状態か運転停止状態かを確認することができる。
【００５９】
上記の実施の形態１−２では、本発明に係るイオン発生装置１を天井埋込型空気調和機９の吹出口９１近傍の天井８に設置したが、天井埋込型空気調和機に限らず、壁面に設置された送風機に適用することができる。
【符号の説明】
【００６０】
１          イオン発生装置
２          イオン発生器
３          ケーシング
３１        ベース部（ケーシング部分）
３１ｂ      凹部（内面）
３２        カバー部
４          流入口
５１        第１の流出口（流出口）
５２        第２の流出口（流出口）
１０        反射板（光反射体、ハーフミラー）
１０ａ      ミラーホルダー（取付手段）
１０ｂ      軸受部（取付手段）
１１        第２反射板（第２光反射体）
１１ａ      第２ミラーホルダー（第２取付手段）
１２        運転表示ランプ（発光体）
１３        突起（第２姿勢保持手段）
１３Ａ      突起（姿勢保持手段）
【図１】
2012104233.tif 000003
【図２】
2012104233.tif 000004
【図３】
2012104233.tif 000005
【図４】
2012104233.tif 000006
【図５】
2012104233.tif 000007
【図６】
2012104233.tif 000008
【図７】
2012104233.tif 000009
【図８】
2012104233.tif 000010
【図９】
2012104233.tif 000011
【図１０】
2012104233.tif 000012
【図１１】
2012104233.tif 000013
【図１２】
2012104233.tif 000014
【図１３】
2012104233.tif 000015
【図１４】
2012104233.tif 000016